(57)【要約】【課題】包装袋から取り出された吸収性物品の製品情報を掲示する。【解決手段】吸収性物品の包装体１は、包装袋３と、複数の吸収性物品とを備える。包装袋３は、包装シート部材により形成される。複数の吸収性物品は、包装袋３に収容される。包装袋３は、周囲の部位から分離可能な情報表示部３１を備える。情報表示部３１は、複数の吸収性物品の製品情報を読み取り可能に示す。当該包装体１では、情報表示部３１を包装袋３の周囲の部位から分離させることにより、包装袋３から取り出された状態で保管等が行われる吸収性物品の製品情報を、吸収性物品の保管場所等の掲示対象物に掲示することができる。【選択図】図１
2020200097.tif 000002
【特許請求の範囲】
【請求項１】
吸収性物品の包装体であって、
包装シート部材にて形成された包装袋と、
前記包装袋に収容された複数の吸収性物品と、
を備え、
前記包装袋は、前記複数の吸収性物品の製品情報を読み取り可能に示すとともに周囲の部位から分離可能な情報表示部を備えることを特徴とする包装体。
【請求項２】
請求項１に記載の包装体であって、
前記情報表示部と前記周囲の部位との境界に弱化線が設けられることを特徴とする包装体。
【請求項３】
請求項１または２に記載の包装体であって、
前記包装袋の形状は、上面、下面および４つの側面を有する略直方体であり、
前記情報表示部は、前記包装袋の前記上面および前記４つの側面のうち少なくとも１つの面の一部であることを特徴とする包装体。
【請求項４】
請求項３に記載の包装体であって、
前記包装袋には、前記少なくとも１つの面の一部であって、開口用弱化線に沿って周囲から切り離されることにより前記複数の吸収性物品の取り出しに利用される取出口を形成する取出口形成部が設けられ、
前記情報表示部は、前記取出口形成部の一部であることを特徴とする包装体。
【請求項５】
請求項４に記載の包装体であって、
前記取出口形成部は、前記取出口の形成開始時に使用者に摘ままれることにより前記取出口の形成を補助するタブを有し、
前記情報表示部は、前記タブを含むとともに前記開口用弱化線に沿って配置されることを特徴とする包装体。
【請求項６】
請求項１または２に記載の包装体であって、
前記包装袋の形状は、上面、下面および４つの側面を有する略直方体であり、
前記情報表示部は、前記上面またはその周囲の部位に接続される持ち運び用の把持部に設けられることを特徴とする包装体。
【請求項７】
請求項６に記載の包装体であって、
前記把持部は、前記包装シート部材にて形成されるとともに前記上面から上方に延びるシート部であり、把持する際に指が挿入される把持用開口を有し、
前記情報表示部は、前記把持部の一部であることを特徴とする包装体。
【請求項８】
請求項１ないし７のいずれか１つに記載の包装体であって、
前記情報表示部には、前記製品情報を示すバーコードまたは２次元コードが表示されていることを特徴とする包装体。
【請求項９】
請求項１ないし８のいずれか１つに記載の包装体であって、
前記情報表示部は、前記周囲の部位からの分離後に掲示される予定の掲示対象物に対する取付部を備えることを特徴とする包装体。
【発明の詳細な説明】
【技術分野】
【０００１】
本発明は、吸収性物品の包装体に関する。
【背景技術】
【０００２】
従来、使い捨ておむつや使い捨ておむつの内側に取り付けられる補助吸収具（例えば、尿取りパッド）等の吸収性物品は、複数個が積層された状態で包装袋に収容されて販売されている。包装袋の外面には、内部に収容された吸収性物品の種類やサイズ、収容枚数等の情報が視認可能に表示されている。また、特許文献１では、複数の使い捨ておむつを包装するパッケージに、使い捨ておむつの種類等の情報が記録されているＩＣタグを設けることが提案されている。
【先行技術文献】
【特許文献】
【０００３】
【特許文献１】特開２００６−０１２１３２号公報
【発明の概要】
【発明が解決しようとする課題】
【０００４】
ところで、介護施設や病院等、多数の吸収性物品を使用する施設では、吸収性物品の交換等の際に、複数の吸収性物品を保管場所から取り出し、カート等に載せて運搬する。当該施設では、吸収性物品の交換作業に要する時間の短縮を図るために、複数の吸収性物品を包装袋から取り出して、スチールラック等の保管場所に並べて保管することが多い。
【０００５】
当該保管場所には、通常、複数種類の吸収性物品が並べられているため、所望の種類の吸収性物品を探すために、ある程度の時間が必要になる。また、各吸収性物品には、サイズ等の情報が表示されているが、保管場所における吸収性物品の向き等によっては、当該情報を視認しづらい場合がある。
【０００６】
本発明は、上記課題に鑑みなされたものであり、包装袋から取り出された吸収性物品の製品情報を掲示可能とすることを目的としている。
【課題を解決するための手段】
【０００７】
請求項１に記載の発明は、吸収性物品の包装体であって、包装シート部材にて形成された包装袋と、前記包装袋に収容された複数の吸収性物品とを備え、前記包装袋は、前記複数の吸収性物品の製品情報を読み取り可能に示すとともに周囲の部位から分離可能な情報表示部を備える。
【０００８】
請求項２に記載の発明は、請求項１に記載の包装体であって、前記情報表示部と前記周囲の部位との境界に弱化線が設けられる。
【０００９】
請求項３に記載の発明は、請求項１または２に記載の包装体であって、前記包装袋の形状は、上面、下面および４つの側面を有する略直方体であり、前記情報表示部は、前記包装袋の前記上面および前記４つの側面のうち少なくとも１つの面の一部である。
【００１０】
請求項４に記載の発明は、請求項３に記載の包装体であって、前記包装袋には、前記少なくとも１つの面の一部であって、開口用弱化線に沿って周囲から切り離されることにより前記複数の吸収性物品の取り出しに利用される取出口を形成する取出口形成部が設けられ、前記情報表示部は、前記取出口形成部の一部である。
【００１１】
請求項５に記載の発明は、請求項４に記載の包装体であって、前記取出口形成部は、前記取出口の形成開始時に使用者に摘ままれることにより前記取出口の形成を補助するタブを有し、前記情報表示部は、前記タブを含むとともに前記開口用弱化線に沿って配置される。
【００１２】
請求項６に記載の発明は、請求項１または２に記載の包装体であって、前記包装袋の形状は、上面、下面および４つの側面を有する略直方体であり、前記情報表示部は、前記上面またはその周囲の部位に接続される持ち運び用の把持部に設けられる。
【００１３】
請求項７に記載の発明は、請求項６に記載の包装体であって、前記把持部は、前記包装シート部材にて形成されるとともに前記上面から上方に延びるシート部であり、把持する際に指が挿入される把持用開口を有し、前記情報表示部は、前記把持部の一部である。
【００１４】
請求項８に記載の発明は、請求項１ないし７のいずれか１つに記載の包装体であって、前記情報表示部には、前記製品情報を示すバーコードまたは２次元コードが表示されている。
【００１５】
請求項９に記載の発明は、請求項１ないし８のいずれか１つに記載の包装体であって、前記情報表示部は、前記周囲の部位からの分離後に掲示される予定の掲示対象物に対する取付部を備える。
【発明の効果】
【００１６】
本発明では、包装袋から取り出された吸収性物品の製品情報を掲示することができる。
【図面の簡単な説明】
【００１７】
【図１】第１の実施の形態に係る包装体を示す斜視図である。
【図２】包装体を示す斜視図である。
【図３】情報表示部を示す平面図である。
【図４】吸収性物品の保管作業の流れを示す図である。
【図５】第２の実施の形態に係る包装体を示す斜視図である。
【図６】他の包装体を示す斜視図である。
【発明を実施するための形態】
【００１８】
図１は、本発明の第１の実施の形態に係る包装体１を示す斜視図である。包装体１は、吸収性物品のパッケージであり、包装袋３の内部に複数の吸収性物品を収容した構造を有する。包装袋３は、包装シート部材にて袋状に形成されたものであり、包装袋３には、複数の吸収性物品が図１中のＸ方向に積層されて圧縮された状態で収容される。
【００１９】
包装シート部材としては、例えば、ポリエチレン等の樹脂製の柔軟な可撓性フィルムが利用される。吸収性物品は、使い捨ておむつ、使い捨ておむつの内側に取り付けられる補助吸収具（例えば、尿取りパッド）、または、生理用品等である。図１に示す例では、それぞれ２つ折りにされた複数（例えば、２０枚）の吸収性物品が包装袋３に収容されている。なお、包装体１では、例えば、複数の吸収性物品が上下方向に２段以上積み重ねられた状態で包装袋の内部に収容されてもよい。
【００２０】
複数の吸収性物品を収容した状態における包装袋３の形状は略直方体である。包装袋３は、複数の吸収性物品の（＋Ｚ）側および（−Ｚ）側をそれぞれ覆う上面１１および下面１２と、複数の吸収性物品の（−Ｙ）側、（＋Ｙ）側、（＋Ｘ）側および（−Ｘ）側を覆う４つの側面１３〜１６とを有する。上面１１は、複数の吸収性物品の周囲を囲む４つの側面１３〜１６により下面１２に接続される。なお、包装袋３の上面１１、下面１２および側面１３〜１６は、包装体１の上面、下面および側面でもある。
【００２１】
図１に示す例では、２つの側面１３，１４の水平方向（Ｘ方向）の幅は、２つの側面１５，１６の水平方向（Ｙ方向）の幅よりも大きい。例えば、幅が広い側面１３，１４には、商品名や商品の特徴、購買意欲の向上を図る模様等の装飾が大きく印刷される。
【００２２】
包装袋３は、さらに、上面１１のＹ方向のおよそ中央に接続される把持部１７を有する。把持部１７は、包装袋３の他の部位と同様に、包装シート部材により形成される。把持部１７は、上面１１から上方（すなわち、（＋Ｚ）方向）に延びるシート部であり、上面１１のＸ方向のおよそ全長に亘って上面１１に接続される。把持部１７は、包装袋３の他の部位と同様に、包装シート部材により形成され、上面１１に連続する。把持部１７のＸ方向のおよそ中央には把持用開口１７１が形成されている。包装体１の使用者（例えば、介護施設の職員または病院の看護師等）が包装体１を持ち運ぶ際には、使用者等の指が把持用開口１７１に挿入され、把持部１７の把持用開口１７１の上側の部位（すなわち、上面１１から離れている側の部位）が把持される。
【００２３】
包装袋３の上面１１には、取出口形成部１８が設けられる。取出口形成部１８は、上面１１の一部である。図１に示す例では、取出口形成部１８は、上面１１のうち（−Ｙ）側の部位の一部である。取出口形成部１８は、例えば、円弧が（＋Ｙ）側に位置する略半円形の部位である。取出口形成部１８の周囲には、開口用弱化線１８１が設けられる。開口用弱化線１８１は、例えば、取出口形成部１８の周縁のうち、（−Ｙ）側の端部においてＸ方向に略平行に伸びる直線部を除き、当該直線部よりも（＋Ｙ）側の部位の周囲に略半円状に設けられる。開口用弱化線１８１は、例えば、断続的に形成された複数の線状の切れ目により形成されるミシン目である。取出口形成部１８は、開口用弱化線１８１に沿って周囲から切り離される。これにより、図２に示すように、上述の複数の吸収性物品９の取り出しに利用される取出口１８０が、包装袋３の上面１１に形成される。
【００２４】
なお、開口用弱化線１８１は、断続的に形成された複数の点状の穴により形成されるミシン目であってもよい。当該ミシン目を形成する切れ目または穴は、包装袋３の上面１１を貫通していてもよく、非貫通であってもよい。開口用弱化線１８１は、必ずしもミシン目には限定されず、例えば、周囲の部位よりも包装シート部材が薄い線状の部位であってもよい。
【００２５】
取出口形成部１８は、取出口１８０の形成を補助するタブ１８２を有する。図１に示す例では、タブ１８２は、取出口１８０の形成前における取出口形成部１８の（＋Ｙ）側の端部に設けられる。タブ１８２は、例えば、取出口形成部１８において周囲の部位から（＋Ｙ）側へと（すなわち、把持部１７に向かって）凸となる突出部である。タブ１８２は、取出口１８０の形成開始時に、使用者により周囲の部位から切り離されて摘ままれる。そして、タブ１８２が（−Ｙ）側へと引き下ろされることにより、取出口形成部１８が開口用弱化線１８１に沿って周囲の部位から切り離され、取出口１８０が形成される。
【００２６】
包装袋３は、複数の吸収性物品９の製品情報を読み取り可能に示す情報表示部３１を備える。図１では、図の理解を容易にするために、情報表示部３１に平行斜線を付す（後述する情報表示部３１ａ，３１ｂについても同様）。図１に示す例では、情報表示部３１は、取出口形成部１８の一部であり、したがって、包装袋３の上面１１の一部でもある。具体的には、情報表示部３１は、取出口形成部１８のうち（＋Ｙ）側の部位であり、上述のタブ１８２を含む。
【００２７】
情報表示部３１の外面に表示される製品情報は、例えば、吸収性物品９の種類およびサイズを示す情報を含む。また、当該製品情報は、吸収性物品９の使用者が必要とする様々な情報を含んでいてもよい。情報表示部３１では、例えば、上述の製品情報が、包装袋３を形成する包装シート部材の外面に、インクにより視認可能に印刷される。情報表示部３１に表示される製品情報は、好ましくは、使用者が視認することにより読み取り可能な文字による情報を含む。また、情報表示部３１には、バーコードリーダ等のコード読取装置により製品情報が読み取り可能なバーコード（いわゆる、１次元コード）または２次元コード（例えば、ＱＲコード）が表示されていてもよい。情報表示部３１において、製品情報の周囲の色および背景の色（以下、まとめて「背景色」とも呼ぶ。）は、情報表示部３１の周囲の色と同じであってもよいが、異なっていることが好ましい。
【００２８】
情報表示部３１の図１中の（−Ｙ）側の端部には、Ｘ方向に略平行に伸びる分離用弱化線３２が設けられる。情報表示部３１の周縁のうち、分離用弱化線３２を除く部位（すなわち、分離用弱化線３２よりも上側の部位）は、上述の開口用弱化線１８１の一部である。換言すれば、情報表示部３１は、開口用弱化線１８１に沿って配置される。図１に示す例では、情報表示部３１は、弱化線（すなわち、分離用弱化線３２および開口用弱化線１８１の一部）により周囲を略全周に亘って囲まれている。換言すれば、情報表示部３１と周囲の部位との境界には上述の弱化線が設けられており、当該弱化線を破断することにより、情報表示部３１を周囲の部位から分離させることができる。
【００２９】
分離用弱化線３２は、例えば、開口用弱化線１８１と同様に、断続的に形成された複数の線状の切れ目により形成されるミシン目である。なお、分離用弱化線３２は、断続的に形成された複数の点状の穴により形成されるミシン目であってもよい。当該ミシン目を形成する切れ目または穴は、包装袋３の上面１１を貫通していてもよく、非貫通であってもよい。分離用弱化線３２は、必ずしもミシン目には限定されず、例えば、周囲の部位よりも包装シート部材が薄い線状の部位であってもよい。
【００３０】
上述の周囲の部位から分離された情報表示部３１（すなわち、包装袋３から分離された情報表示部３１）は、例えば、包装袋３から取り出された複数の吸収性物品９が保管される予定の保管場所（例えば、スチールラック等）に取り付けられて掲示される。すなわち、当該保管場所は、情報表示部３１が上記周囲の部位からの分離後に掲示される予定の掲示対象物である。
【００３１】
図３は、包装袋３から分離された情報表示部３１の内面を示す平面図である。情報表示部３１の内面とは、包装袋３に取出口１８０（図２参照）が形成されていない状態で、包装袋３の内部に向いて吸収性物品９と対向する面である。情報表示部３１の内面には、上述の保管場所（すなわち、掲示対象物）に情報表示部３１を取り付ける際に利用される取付部３３が設けられる。図３に示す例では、取付部３３は、粘着部３４と、保護シール３５とを備える。粘着部３４は、情報表示部３１の内面に直接的に設けられた薄い粘着剤の層である。保護シール３５は、粘着部３４の内面に着脱自在に貼付され、粘着部３４の内面を略全面に亘って覆う。保護シール３５は、粘着部３４よりも大きく、粘着部３４の周囲に延出している。
【００３２】
図４は、吸収性物品９を保管場所に保管する作業の流れを示す図である。複数の吸収性物品９を包装袋３から取り出して保管場所（例えば、スチールラック等）に保管する際には、まず、使用者により開口用弱化線１８１が破断され、取出口形成部１８の（−Ｙ）側の端部を除く部位が周囲の部位から切り離されることにより、取出口１８０が形成される（ステップＳ１１）。続いて、使用者により分離用弱化線３２が破断されることにより、取出口形成部１８から情報表示部３１が分離される（ステップＳ１２）。
【００３３】
次に、情報表示部３１において、取付部３３の保護シール３５のうち粘着部３４の周囲に延出している部位が使用者により摘ままれ、保護シール３５が粘着部３４から剥離される。そして、粘着部３４が保管場所の所定の部位（例えば、スチールラック等の前面）に対して貼着されることにより、情報表示部３１が当該保管場所に取り付けられる（ステップＳ１３）。その後、包装袋３の取出口１８０から複数の吸収性物品９が取り出され、上記保管場所に保管される（ステップＳ１４）。なお、情報表示部３１の分離（ステップＳ１２）および情報表示部３１の取り付け（ステップＳ１３）は、吸収性物品９の保管（ステップＳ１４）よりも後に行われてもよい。
【００３４】
以上に説明したように、吸収性物品９の包装体１は、包装袋３と、複数の吸収性物品９とを備える。包装袋３は、包装シート部材により形成される。複数の吸収性物品９は、包装袋３に収容される。包装袋３は、周囲の部位から分離可能な情報表示部３１を備える。情報表示部３１は、複数の吸収性物品９の製品情報を読み取り可能に示す。当該包装体１では、情報表示部３１を包装袋３の周囲の部位から分離させることにより、包装袋３から取り出された状態で保管等が行われる吸収性物品９の製品情報を、吸収性物品９の保管場所等の掲示対象物に掲示することができる。これにより、当該保管場所等から吸収性物品９を取り出す際に、所望の種類の吸収性物品９を迅速に見つけ出すことができる。その結果、吸収性物品９の交換作業に要する時間を短縮することができる。
【００３５】
上述のように、包装体１では、情報表示部３１と周囲の部位との境界に弱化線（すなわち、分離用弱化線３２および開口用弱化線１８１）が設けられることが好ましい。これにより、情報表示部３１を周囲の部位から容易に分離させることができる。また、周囲の部位からの分離時における情報表示部３１の変形（例えば、不可逆的な伸び）を抑制することができる。なお、情報表示部３１の背景色が周囲の色と異なる場合、情報表示部３１と周囲の部位との境界を容易に認識することができるため、上記弱化線による分離予定位置を容易に認識することができる。
【００３６】
上述のように、好ましくは、包装袋３の形状は、上面１１、下面１２および４つの側面１３〜１６を有する略直方体である。また、情報表示部３１は、包装袋３の上面１１の一部であることが好ましい。これにより、情報表示部３１が包装袋３の袋本体とは別部材である場合に比べて、包装袋３および包装体１の製造を簡素化することができる。また、使用者の視界に入りやすい上面１１に情報表示部３１が配置されるため、情報表示部３１を容易に視認することができる。
【００３７】
情報表示部３１は、必ずしも包装袋３の上面１１の一部である必要はなく、例えば、包装袋３の側面１３〜１６のうちいずれか１つの面の一部であってもよい。あるいは、情報表示部３１は、包装袋３の上面１１および側面１３〜１６のうち、２つ以上の面に亘って配置され、当該２つ以上の面の一部であってもよい。すなわち、情報表示部３１は、包装袋３の上面１１および４つの側面１３〜１６のうち、少なくとも１つの面の一部であることが好ましい。これにより、上記と同様、包装袋３および包装体１の製造を簡素化することができる。また、情報表示部３１を容易に視認することができる。
【００３８】
上述のように、包装袋３には、上記少なくとも１つの面の一部である取出口形成部１８が設けられることが好ましい。取出口形成部１８は、開口用弱化線１８１に沿って周囲の部位から切り離されることにより、複数の吸収性物品９の取り出しに利用される取出口１８０を形成する。情報表示部３１は、好ましくは、取出口形成部１８の一部である。これにより、取出口１８０の形成の際に、情報表示部３１の周囲の部位からの分離が部分的に実施されるため、情報表示部３１の包装袋３からの分離を迅速に行うことができる。
【００３９】
上述のように、取出口形成部１８は、取出口１８０の形成開始時に使用者に摘ままれることにより取出口１８０の形成を補助するタブ１８２を有することが好ましい。また、情報表示部３１は、タブ１８２を含むとともに開口用弱化線１８１に沿って配置されることが好ましい。これにより、取出口１８０の形成時に情報表示部３１が使用者により摘ままれるため、周囲の部位からの分離時における情報表示部３１の変形（例えば、不可逆的な伸び）を抑制することができる。
【００４０】
上述のように、情報表示部３１には、製品情報を示すバーコードまたは２次元コードが表示されることが好ましい。これにより、吸収性物品９に関する比較的多量の製品情報を安価にかつ比較的小さい領域に表示することができる。また、読み取り装置により当該製品情報を読み取り、管理システム等に予め記憶されている情報と照合することにより、保管場所等から取り出す吸収性物品９の種類を間違うこと等を防止または抑制することができる。さらに、吸収性物品９の在庫管理等を自動的に行うこともできる。
【００４１】
上述のように、情報表示部３１は、周囲の部位からの分離後に掲示される予定の掲示対象物（例えば、保管場所等）に対する取付部３３を備えることが好ましい。これにより、掲示対象物への情報表示部３１の掲示を容易とすることができる。
【００４２】
次に、本発明の第２の実施の形態に係る包装体１ａについて説明する。図５は、包装体１ａを示す斜視図である。包装体１ａは、図１に示す情報表示部３１とは異なる位置に情報表示部３１ａが設けられる点を除き、包装体１と略同様の構造を有する。以下の説明では、包装体１の構成に対応する包装体１ａの構成に同符号を付す。
【００４３】
包装体１ａでは、情報表示部３１ａは、包装体１ａの持ち運び用の把持部１７に設けられる。図５に示す例では、情報表示部３１ａは、把持部１７の（＋Ｘ）側の端部であり、把持部１７の上端から下端に至る部位である。情報表示部３１ａは、把持用開口１７１よりも（＋Ｘ）側に位置する。情報表示部３１ａと周囲の部位との境界には、分離用弱化線３２ａが設けられる。分離用弱化線３２ａは、情報表示部３１ａの（−Ｘ）側の端部に沿って、把持部１７の上端から下端まで上下方向に延び、把持部１７の下端（すなわち、情報表示部３１ａの下端）に沿って（＋Ｘ）側へと延びる。分離用弱化線３２ａの構造は、包装体１の分離用弱化線３２の構造と略同様である。
【００４４】
情報表示部３１ａに表示される製品情報は、情報表示部３１と同様に、例えば、吸収性物品９（図２参照）の種類およびサイズを示す情報を含む。また、当該製品情報は、吸収性物品９の使用者が必要とする様々な情報を含んでいてもよい。情報表示部３１ａでは、例えば、上述の製品情報が、把持部１７を形成する包装シート部材の外面に、インクにより視認可能に印刷される。情報表示部３１ａに表示される製品情報は、好ましくは、使用者が視認することにより読み取り可能な文字による情報を含む。また、情報表示部３１ａには、バーコードリーダ等のコード読取装置により製品情報が読み取り可能なバーコードまたは２次元コードが表示されていてもよい。
【００４５】
情報表示部３１ａには、上述の保管場所（すなわち、掲示対象物）に情報表示部３１ａを取り付ける際に利用される取付部３３ａが設けられる。図５に示す例では、取付部３３ａは、情報表示部３１ａの（＋Ｙ）側の面に設けられる。取付部３３ａの構造は、包装体１の取付部３３と略同様である。情報表示部３１ａは、上述の情報表示部３１と同様に、分離用弱化線３２ａが破断されることにより周囲の部位から分離され、取付部３３ａにより吸収性物品９の保管場所等に取り付けられる。
【００４６】
以上に説明したように、包装体１ａでは、包装体１と同様に、包装袋３が、複数の吸収性物品９の製品情報を読み取り可能に示すとともに周囲の部位から分離可能な情報表示部３１ａを備える。これにより、包装袋３から取り出された状態で保管等が行われる吸収性物品９の製品情報を、吸収性物品９の保管場所等の掲示対象物に掲示することができる。包装体１ａでは、好ましくは、報表示部３１ａと周囲の部位との境界に弱化線（すなわち、分離用弱化線３２ａ）が設けられる。これにより、情報表示部３１ａを周囲の部位から容易に分離させることができる。また、周囲の部位からの分離時における情報表示部３１ａの変形（例えば、不可逆的な伸び）を抑制することができる。
【００４７】
上述のように、好ましくは、包装袋３の形状は、上面１１、下面１２および４つの側面１３〜１６を有する略直方体である。また、情報表示部３１ａは、上面１１に接続される持ち運び用の把持部１７に設けられることが好ましい。これにより、情報表示部３１ａが包装袋３の袋本体とは別部材である場合に比べて、包装袋３および包装体１ａの製造を簡素化することができる。また、使用者の視界に入りやすい把持部１７に情報表示部３１ａが配置されるため、情報表示部３１ａを容易に視認することができる。
【００４８】
上述のように、把持部１７は、包装シート部材にて形成されるとともに上面１１から上方に延びるシート部であり、把持する際に指が挿入される把持用開口１７１を有することが好ましい。また、情報表示部３１ａは、当該把持部１７の一部であることが好ましい。把持部１７は、包装袋３の他の部位よりも厚いため、包装袋３から情報表示部３１ａを分離させる際に、情報表示部３１ａの変形をさらに抑制することができる。
【００４９】
上述のように、情報表示部３１ａには、製品情報を示すバーコードまたは２次元コードが表示されることが好ましい。これにより、吸収性物品９に関する比較的多量の製品情報を安価にかつ比較的小さい領域に表示することができる。また、読み取り装置により当該製品情報を読み取り、管理システム等に予め記憶されている情報と照合することにより、保管場所等から取り出す吸収性物品９の種類を間違うこと等を防止または抑制することができる。さらに、吸収性物品９の在庫管理等を自動的に行うこともできる。
【００５０】
上述のように、情報表示部３１ａは、周囲の部位からの分離後に掲示される予定の掲示対象物（例えば、保管場所等）に対する取付部３３ａを備えることが好ましい。これにより、掲示対象物への情報表示部３１ａの掲示を容易とすることができる。
【００５１】
把持部１７の構造は、必ずしも上記の例には限定されず、様々に変更されてよい。例えば、図６に例示する包装体１ｂでは、把持部１７ｂは、２本の比較的細い帯状（または、紐状）の把持部材１７２を備える。一方の把持部材１７２の両端部は、包装袋３の（−Ｙ）側の側面１３の上部に熱圧着等により接続され、他方の把持部材１７２の両端部は、包装袋３の（＋Ｙ）側の側面１４の上部に熱圧着等により接続される。換言すれば、把持部１７ｂは、包装袋３の上面１１の周囲の部位に接続される。
【００５２】
情報表示部３１ｂは、例えば、一方の把持部材１７２に設けられるシート部材である。この場合も、上記と同様に、包装袋３から取り出された状態で保管等が行われる吸収性物品９（図２参照）の製品情報を、吸収性物品９の保管場所等の掲示対象物に掲示することができる。情報表示部３１ｂと把持部材１７２との境界には、分離用弱化線３２ｂが設けられることが好ましい。これにより、情報表示部３１ｂを周囲の部位から容易に分離させることができる。また、情報表示部３１ｂは、周囲の部位からの分離後に掲示される予定の掲示対象物（例えば、保管場所等）に対する取付部３３ｂを備えることが好ましい。これにより、掲示対象物への情報表示部３１ｂの掲示を容易とすることができる。
【００５３】
上述の包装体１，１ａ，１ｂでは、様々な変更が可能である。
【００５４】
情報表示部３１の取付部３３は、必ずしも粘着部３４を有する必要はなく、他の構造を有していてもよい。取付部３３は、例えば、吸収性物品９の保管場所であるスチールラック等に磁力により情報表示部３１を取り付ける磁石であってもよい。また、取付部３３は、保管場所に予め設けられた面ファスナ等に係止可能な面ファスナであってもよい。取付部３３は、保管場所を挟持することにより取り付けられるクリップ等であってもよい。なお、情報表示部３１から取付部３３が省略されてもよい。この場合、情報表示部３１はセロハンテープ等の他の手段により保管場所に取り付けられる。取付部３３ａ，３３ｂについても同様である。
【００５５】
情報表示部３１，３１ａ，３１ｂが掲示される掲示対象物は、必ずしも吸収性物品９の保管場所である必要はなく、様々に変更されてよい。
【００５６】
情報表示部３１に表示される製品情報は、必ずしも文字による情報を含まなくてもよく、例えば、バーコードのみによる情報であってもよい。情報表示部３１では、文字、バーコードおよび２次元コード以外の手段で製品情報が読み取り可能に表示されてもよい。また、当該製品情報は、何らかの手段で読み取り可能であれば、視認不能または視認しにくいものであってもよい。例えば、情報表示部３１では、製品情報はＩＣタグに記憶されており、ＩＣタグリーダにより読み取られてもよい。情報表示部３１ａ，３１ｂについても同様である。
【００５７】
包装体１では、情報表示部３１は、包装袋３のうち取出口形成部１８以外の部位であってもよい。例えば、情報表示部３１は、包装袋３の下面１２の一部であってもよい。また、情報表示部３１の周囲の分離用弱化線３２は省略されてもよい。この場合、情報表示部３１の周囲の部位からの分離は、例えば、ハサミ等による切断により行われる。なお、情報表示部３１の背景色が周囲の色と異なる場合、情報表示部３１と周囲の部位との境界を容易に認識することができるため、ハサミ等による切断予定位置を容易に認識することができる。情報表示部３１ａ，３１ｂおよび分離用弱化線３２ａ，３２ｂについても同様である。
【００５８】
情報表示部３１は、必ずしも包装袋３の袋本体の一部である必要はない。例えば、包装袋３の袋本体とは別に形成された別部材の情報表示部３１が、包装袋３の袋本体の内面または外面に、粘着剤等により着脱自在に貼付されてもよい。この場合、情報表示部３１は、包装袋３の袋本体に対する貼付に使用されていた粘着剤等を利用して、掲示対象物に貼付可能である。あるいは、情報表示部３１は、紐等により把持部１７にくくりつけられていてもよい。情報表示部３１ａ，３１ｂについても同様である。
【００５９】
包装体１の形状は、略直方体状には限定されず、様々な形状であってよい。
【００６０】
上記実施の形態および各変形例における構成は、相互に矛盾しない限り適宜組み合わされてよい。
【符号の説明】
【００６１】
１，１ａ，１ｂ    包装体
３    包装袋
９    吸収性物品
１１    （包装体の）上面
１３〜１６    （包装体の）側面
１７，１７ｂ    把持部
１８    取出口形成部
３１，３１ａ，３１ｂ    情報表示部
３２，３２ａ，３２ｂ    分離用弱化線
３３，３３ａ，３３ｂ    取付部
１７１    把持用開口
１８０    取出口
１８２    タブ
【図１】
2020200097.tif 000003
【図２】
2020200097.tif 000004
【図３】
2020200097.tif 000005
【図４】
2020200097.tif 000006
【図５】
2020200097.tif 000007
【図６】
2020200097.tif 000008